(57)【要約】【課題】羽根の隣接する対の上における同様な場所の間の角度間隔が所定の数式により決定される場合、平均ピッチによる周波数が卓越する傾向にあり、特定の周波数での騒音が増大し、快適性が向上しない課題があった。本発明の目的は、騒音を低減した貫流ファンを備えた空気調和機の室内機を提供することである。【解決手段】本発明の空気調和機の室内機は、室内熱交換器と、室内熱交換器の下流に設けられ、外径形状が波形又はのこぎり形である複数のファンブレードを有する貫流ファンとを備え、ファンブレードは貫流ファンのブレードピッチが略周期的に増減する位置に配置されている。【選択図】図４
2015052279.tif 000002
【特許請求の範囲】
【請求項１】
室内熱交換器と、
前記室内熱交換器の下流に設けられ、外径形状が波形又はのこぎり形である複数のファンブレードを有する貫流ファンとを備え、
前記ファンブレードは前記貫流ファンのブレードピッチが略周期的に増減する位置に配置されている空気調和機の室内機。
【請求項２】
前記貫流ファンのブレードピッチの増減は１周期〜５周期の略周期関数であることを特徴とする請求項１に記載の空気調和機の室内機。
【請求項３】
前記貫流ファンのブレードピッチの増減は２周期又は４周期の略周期関数であることを特徴とする請求項２に記載の空気調和機の室内機。
【請求項４】
前記ファンブレードの外径形状は、複数の山又は複数の谷を有する波形又はのこぎり形であり、
前記山又は前記谷の数は、前記貫流ファンのブレードピッチの周期に対して、±２の範囲内であることを特徴とする請求項２に記載の空気調和機の室内機。
【請求項５】
前記貫流ファンは前記ファンブレードが取り付けられる仕切り板を有し、
前記ファンブレードの外径形状は、複数の山を有する波形又はのこぎり形であり、
前記山が前記仕切り板に接することを特徴とする請求項１に記載の空気調和機の室内機。
【請求項６】
請求項１乃至５のいずれかに記載の空気調和機の室内機と、
圧縮機、膨張機構、室外熱交換器を有する室外機とを備える空気調和機。
【発明の詳細な説明】
【技術分野】
【０００１】
本発明は、空気調和機に関する。
【背景技術】
【０００２】
特許文献１には、横式ファン用の改良された羽根車であって、羽根の隣接する対の上における同様な場所の間の角度間隔が所定の数式により決定される。特許文献１の記載の横式ファン用の羽根車は、羽根の隣接する対の上における同様な場所の間の角度間隔が三角関数によって表現される周期となり、静的および動的なバランスをくずすことなく羽根速度音の騒音を有効に減じることができる。
【先行技術文献】
【特許文献】
【０００３】
【特許文献１】特開平６−２９４３９６号公報
【発明の概要】
【発明が解決しようとする課題】
【０００４】
しかしながら、特許文献１に記載の羽根車は、平均ピッチによる周波数が卓越する傾向にあり、特定の周波数での騒音が増大し、快適性が向上しない課題があった。
【０００５】
本発明の目的は、騒音を低減した貫流ファンを備えた空気調和機の室内機を提供することである。
【課題を解決するための手段】
【０００６】
本発明の空気調和機の室内機は、室内熱交換器と、室内熱交換器の下流に設けられ、外径形状が波形又はのこぎり形である複数のファンブレードを有する貫流ファンとを備え、ファンブレードは貫流ファンのブレードピッチが略周期的に増減する位置に配置されている。
【発明の効果】
【０００７】
本発明によれば、騒音を低減した貫流ファンを備えた空気調和機の室内機を提供することができる。
【図面の簡単な説明】
【０００８】
【図１】第１実施形態に係る空気調和機のサイクル構成図である。
【図２】第１実施形態に係る空気調和機の室内機の一部を透視したときの正面構成図である。
【図３】第１実施形態に係る空気調和機の室内機の断面構成図である。
【図４】第１実施形態に係る空気調和機の室内機の貫流ファン１ブロックの斜視図である。
【図５】第１実施形態に係る空気調和機の室内機の貫流ファンのファンブレードのブレードピッチの配列である。
【図６】比較例１及び比較例２に係る空気調和機の室内機の周波数と騒音の関係の測定結果である。
【図７】比較例１及び比較例３に係る空気調和機の室内機の周波数と騒音の関係の測定結果である。
【図８】第１実施形態及び比較例３に係る空気調和機の室内機の周波数と騒音の関係の測定結果である。
【図９】比較例３に係るスタビライザにおける圧力分布の瞬時値の数値解析結果である。
【図１０】第１実施形態に係るスタビライザにおける圧力分布の瞬時値の数値解析結果である。
【図１１】第１実施形態に係るスタビライザに接近する際のファンブレード上の風速の流れを説明する説明図である。
【図１２】第２実施形態に係るスタビライザに接近する際のファンブレード上の風速の流れを説明する説明図である。
【図１３】第３実施形態に係るスタビライザに接近する際のファンブレード上の風速の流れを説明する説明図である。
【発明を実施するための形態】
【０００９】
本発明の実施形態について、適宜図面を参照しながら詳細に説明する。なお、各図において共通する部分には同一の符号を付し、重複した説明を省略する。
【００１０】
（第１実施形態）
図１は第１実施形態に係る空気調和機のサイクル構成図である。冷房運転時は、圧縮機１より吐出された高温且つ高圧の冷媒は、四方弁２を介して室外熱交換機３に流入する。室外熱交換機３に流入した冷媒は、室外送風ファン４によって送られる室外の空気と熱交換することで、凝縮されて液冷媒となる。液冷媒は、膨張弁５を通過することで低温低圧の二相冷媒になり、室内熱交換器１２０に流入する。
室内熱交換器１２０に流入した低温低圧の二相冷媒は、貫流ファン（室内送風ファン）１３０によって送られる室内の空気と熱交換する。このとき、室内熱交換器１２０に送られた室内の空気は、室内熱交換器１２０に流入した低温低圧の二相冷媒によって冷却され、吹出口から室内に吐出される。吹出口から室内に吐出される空気は、吸込口における空気の温度よりも低いため、室内の温度を下げることができる。室内熱交換器１２０で熱交換された冷媒は四方弁２を介して再び圧縮機１に戻る。圧縮機１と室外熱交換器３と室外送風ファン４と膨張弁５は室外機に配置され、室内熱交換器１２０と貫流ファン１３０は室内機１００に配置されている。
【００１１】
図２は、第１実施形態に係る空気調和機の室内機の一部を透視したときの正面構成図である。図３は、第１実施形態に係る空気調和機の室内機の断面構成図である。図２及び図３に示すように、本実施形態に係る空気調和機の室内機１００は、前面側にフロントパネル１０１、上面側に上面グリル１０２が設けられ、空気調和機の運転中にはフロントパネル１０１は下部を支点にして上部が開口し、前面と上面から空気を矢印Ｆ１、Ｆ２のように吸い込んで、吹出口１０３の方向に矢印Ｆ３のように吐き出される。室内機１００の下面側には横風向板１０４が設けられ、室内機１００の空気の吹出口１０３は、横風向板１０４が回転することで開閉できるようになっている。
【００１２】
フロントパネル１０１と上面グリル１０２の直ぐ内側にはフィルタフレーム１１１に取付けられたプレフィルタ１１０が設けられている。プレフィルタ１１０の外側にはフィルタ掃除機構１１２が備えられ、プレフィルタ１１０上を室内機１０１の長手方向にスウィープしながら水平移動することでフィルタの目に捉えられた埃を除去している。
【００１３】
プレフィルタ１１０の内側には、熱交換フィン１２８と冷媒管１２９で構成される室内熱交換器１２０が、前面側熱交換器１２２と背面側熱交換器１２３、補助熱交換器１２４として貫流ファン１３０を囲うように設けられている。室内熱交換器１２０は、室内機１００の吸込口から吸い込んだ空気を調和する。貫流ファン１３０は、室内熱交換器の下流に設けられ、複数のファンブレード３１０を有する。本実施形態では、貫流ファン１３０は、複数のファンブレード３１０と仕切り板３２０で構成されるファンブロック３００をファンブロック３００ａ、３００ｂのように軸方向に複数個連結した構成となっている。複数枚のファンブレード３１０で構成される貫流ファン１３０はフロントケーシング１３１とバックケーシング１３２に挟まれるように位置している。フロントケーシング１３１とバックケーシング１３２の先端には、それぞれ、スタビライザ２０１とリアガイダ２０２が形成されている。
【００１４】
図３に示すように、貫流ファン１３０は時計回りに回転し、貫流ファン１３０の特徴である循環渦ｆ２０を形成しつつ、主流ｆ１０のように室内熱交換器１２０を通った風が吹出され、空気調和がなされる。隣接するファンブレード３１０の間では、流入風ｆ１１ａ、流入風ｆ１１ｂ及び流入風ｆ１１ｃに示すように流入風がファンブレード３１０に流入し、吹出風ｆ１２ａ、吹出風ｆ１２ｂ及び吹出風ｆ１１ｃに示すように吹出風がファンブレード３１０から吐出される。スタビライザ２０１近くで吹出された吹出風ｆ２２ａおよび吸込風ｆ２１ａは、スタビライザ２０１付近で貫流ファン１３０特有の循環渦ｆ２０が形成される。ファンブレード１３０は、前面熱交換器１２２、スタビライザ２０１およびリアガイダ２０２と接近する位置（以下「接近部」という。）において接近部で生じる圧力変動が主音源となって騒音が発生する。
【００１５】
図４は、第１実施形態に係る空気調和機の室内機の貫流ファン１ブロックの斜視図である。貫流ファン１３０は、仕切り板３２０にＮ枚のファンブレード３１０を取り付けて構成される。ファンブレード３１０は、基準３３０（対称なので任意で良い）から所定角度傾けてファンブレード３１０を順次配置している。本実施形態では、隣接するファンブレード３１０の最外径点３３２間の角度（以下「ブレードピッチ」という。）Ｐ（ｎ）（ｎは基準からの羽根の番号）に周期性を持たせている。
【００１６】
ファンブレード３１０の外周端であるエッジ３１１は、山３１２ａ〜３１２ｄ、谷３１３ａ〜３１３ｄを有し、滑らかな曲線で繋がった周期的な形状（以下「波形」という。）である。このとき、後述するようにエッジに急激な形状変化がないので、エッジ３１１上での急激な流体的な変動は生じない。
【００１７】
ここで、貫流ファン１３０のうち、仕切り板３２０は送風への寄与が小さい。そこで、本実施形態では、ファンブレード３１０の外周側であるエッジ３１１において、山が仕切り板３２０に接するようにしている。谷に比べファン外径が大きい山を仕切り板３２０に接する構造により、仕切り板３２０による風量低減分を補うことができる。したがって同一風量での回転数低下によるファン入力低減、騒音低減に寄与する。また、仕切り板３２０との接触面積が増えるため貫流ファン１３０の強度向上に寄与することもできる。
【００１８】
図５は、第１実施形態に係る空気調和機の室内機の貫流ファンのファンブレードのブレードピッチの配列である。図５の横軸はファンブレード３１０を順に並べたときのファンブレード番号（基準となるファンブレードは任意）である。図５の縦軸はブレードピッチＰ（ｎ）である。比較例１及び比較例２は、ファンブレード番号によってブレードピッチＰ（ｎ）をランダムに定めた貫流ファン１３０である。比較例３及び本実施形態は、ファンブレード番号の順にブレードピッチＰ（ｎ）を周期的に増減（変化）させた貫流ファン１３０である。
【００１９】
図６は、比較例１及び比較例２に係る空気調和機の室内機の周波数と騒音の関係の測定結果である。比較例１及び比較例２は、ブレードピッチＰ（ｎ）をランダムに定めた貫流ファン１３０である。比較例１のファンブレード３１０のエッジは直線であり、比較例２のファンブレード３１０のエッジは図４に示す波形である。
【００２０】
貫流ファン１３０の騒音は、主にファンブレード３１０が接近部に近づくときに発生する。そのため、貫流ファン１３０の騒音は、ファンブレード３１０が接近部に近づく周期に起因し、貫流ファン１３０の回転数とファンブレード３１０の枚数を乗じた値であるブレード通過周波数（以下「ＢＰＦ」という。）に集中する傾向がある。周波数がＢＰＦとなる騒音は、人体にとって高音に相当する音であり、特に不快に感じられるおそれがある。
【００２１】
比較例１では、ブレードピッチＰ（ｎ）をランダムにすることで、接近部にファンブレード３１０が近づく周期（ファンブレード３１０が接近部に近づいた後に次のファンブレード３１０が接近部に近づくまでの時間）をランダムにしている。比較例１の貫流ファン１３０によれば、貫流ファン１３０での騒音の周波数を分散することができる。
【００２２】
しかしながら、比較例１では、図６に示すように、低周波数領域（周波数がＢＰＦ以下の領域）でピークが複数個ランダムに存在する結果となった。比較例１は、接近部にファンブレード３１０が近づく周期（ファンブレード３１０が接近部に近づいた後に次のファンブレード３１０が接近部に近づくまでの時間）がランダムとなるため、ファンブレード３１０が接近部を順々に通過する際にファンブレード３１０に加わる圧力が急激に変化するためである。
【００２３】
そこで、まず比較例２としてファンブレード３１０のエッジを波形にすることで、ファンブレード３１０が接近部を順々に通過する際にファンブレード３１０に加わる圧力変動の緩和を試みた。
【００２４】
しかしながら、接近部にファンブレード３１０が順々に通過する際に接近部での圧力の変化が急激であるため、ファンブレード３１０のエッジを波形にしても、ほとんど圧力変動を抑制できない結果となった。そのため、図６に示すように、比較例２は、比較例１と大きな騒音の違いが見られず、比較例１に比べて入力も低減されない結果となった。
【００２５】
図７は、比較例１及び比較例３に係る空気調和機の室内機の周波数と騒音の関係の測定結果である。比較例３は、ファンブレード番号の順にブレードピッチＰ（ｎ）を周期的に増減させた貫流ファン１３０である。比較例１は、ブレードピッチＰ（ｎ）をランダムに定めた貫流ファン１３０である。比較例３及び比較例１ともファンブレード３１０のエッジは直線である。
【００２６】
比較例３では、ブレードピッチＰ（ｎ）を周期的に増減させることで、貫流ファン１３０での騒音がＢＰＦに集中するのをある程度抑制しつつ、接近部にファンブレード３１０が近づく周期を滑らかに変化させている。すると、比較例３の貫流ファン１３０は、ランダムに変化する比較例１に比べて、接近部での圧力変動を抑制することができ、低周波数領域での騒音が低下する結果となった。ブレードピッチＰ（ｎ）に周期性を持たせることで、隣接するブレードピッチＰ（ｎ）の変化が滑らかとなり、図３での流入風ｆ１１ａからｆ１１ｃの隣接する流入風の変化、及び、吹出風ｆ１２ａからｆ１２ｃの変化も滑らかになり、ファンブレード３１０が各々接近部を通過する際に加わる圧力変動も滑らかになる。
【００２７】
しかしながら、比較例３では、図７に示すように、比較例１に比べて、周波数がＢＰＦとなる騒音が４５ｄＢと高い結果となった。比較例３の貫流ファン１３０では、ファンブレード３１０が接近部に近づく周期が増減する。しかし、ファンブレード３１０が接近部に近づくことに起因する圧力（風速）は、一枚のファンブレード３１０だけに起因せず、例えば前後のファンブレード３１０の影響も受けるため、ファンブレード３１０が接近部に近づく周期に比べて変動が少ない。すなわち、比較例３においても、ブレードピッチＰ（ｎ）を増減させてはいるが、急激にブレードピッチＰ（ｎ）を変化させる比較例１に比べて、周波数がＢＰＦとなる騒音の低減効果が少ない結果になった。
【００２８】
図８は、第１実施形態及び比較例３に係る空気調和機の室内機の周波数と騒音の関係の測定結果である。比較例３のファンブレード３１０のエッジは直線状であるのに対し、本実施形態ではファンブレード３１０の形状を図４に示す波形である。本実施形態は、比較例３と同様に、ファンブレード番号の順にブレードピッチＰ（ｎ）を周期的に増減させた貫流ファン１３０である。図８に示すように、本実施形態では、周波数がＢＰＦとなる騒音が４０ｄＢ程度となり、比較例３に比べて５ｄＢ低下する結果となった。
【００２９】
図９は、比較例３に係るスタビライザにおける圧力分布の瞬時値の数値解析結果である。図１０は、第１実施形態に係るスタビライザにおける圧力分布の瞬時値の数値解析結果である。図９及び図１０ともスタビライザ２０１の貫流ファン１３０側の圧力分布の等高線を点線にて示している。図１１は、第１実施形態に係るスタビライザに接近する際のファンブレード上の風速の流れを説明する説明図である。圧力の基準は大気圧である。
【００３０】
図９に示すように、比較例３では、ファンブレード３１０がスタビライザ２０１の下端（フロントケーシング１３１との接続部）付近で局所的に圧力が低く、スタビライザ２０１の下端側ほど圧力が増加する分布となった。これは、大きな圧力変動すなわち大きな音源となり、且つ、貫流ファン１３０の入力が増大することを意味する。また、比較例３の圧力分布の等高線はファンブレード３１０のエッジに平行な直線となった。
【００３１】
一方、図１０に示すように、本実施形態では、比較例１に比べて、スタビライザ２０１の下端付近で１０Ｐａ程度圧力を上昇させることができている。図１１に示すように、ファンブレード３１０のエッジ３１１を波形とすることで、ファンブレード３１０がスタビライザ２０１付近を通過する際に、スタビライザ２０１との隙間が狭い山３１２付近を通過する風は、スタビライザ２０１との隙間が比較的に広い谷３１３に向かって斜め方向に吸い込まれる流れが生じる。つまり、本実施形態は、隙間が狭い空間を通過する風の逃げ道を作ることができ、比較例１に比べて、スタビライザ２０１の下端付近で圧力を上昇させることができた。
【００３２】
本実施形態では、図１０に示すように、エッジ３１１が波形である影響を受けて、圧力等高線は波形となっている。図１０に示す圧力等高線が波形であることからも、ファンブレード３１０がスタビライザ２０１付近を通過する際に、スタビライザ２０１との隙間が狭い山３１２付近を通過する風は、スタビライザ２０１との隙間が比較的に広い谷３１３に向かって斜め方向に吸い込まれる流れが生じることがわかる。
【００３３】
なお、ファンブレード３１０がスタビライザ２０１に接近する際のファンブレード３１０の圧力変動について説明したが、ファンブレード３１０が他の接近部である前面熱交換器１２２およびリアガイダ２０２と接近する際のファンブレード３１０の圧力変動についても同様な圧力変動が生じる。そのため、本実施形態によれば、ファンブレード３１０のエッジ３１１を波形とすることで、接近部付近で発生する周波数がＢＰＦとなる騒音を低減することができる。
【００３４】
本実施形態は、斜め方向の速度分布の拡散によって、微視的に見たファンブレード３１０へのトルクも分散され、さらにその変動が滑らかに変化するため、ファンブレード３１０への負荷が低減し、貫流ファン１３０の動力低減にも寄与する。
【００３５】
なお、ファンブレード３１０が前面熱交換器１２２、スタビライザ２０１及びリアガイダ２０２に接近しない位置では、エッジ３１１にほぼ垂直な方向に一律な流れとなる。
【００３６】
以上説明したとおり、本実施形態では、ブレードピッチＰ（ｎ）が周期関数になるように変化させ、且つ、ファンブレード３１０のエッジ３１１を波形とすることにより、比較例１及び比較例３に比べて、入力、オーバーオール騒音とも全風量域にて低減することができた。例えば仕様範囲の標準（中間）風量において，入力を−３％，オーバーオール騒音を−１ｄＢ低減することができた。
【００３７】
なお、プレフィルタ１１０のフィルタ格子より小さい極めて微小な塵埃が室内熱交換器１２０を通過し、ファンブレード３１０に付着する場合がある。経年使用時、エッジ３１１に付着し、空気調和機としての清潔性が低下する傾向がある。変化が滑らかでない場合は流れの乱れが生じ易い。ファンブレード３１０上での風の流れが乱れると小さな渦流れを多数形成する。この場合、塵埃が渦の中で循環し、ファンブレード３１０の壁面に付着する可能性が高まる。また、ファンブレード３１０上での風の流れの変化が急激である場合、塵埃が急激な風の流れの変化に追随できず、ファンブレード３１０の壁面に付着する可能性が高まる。本実施形態では、ファンブレード３１０のエッジ３１１が波状であるため、エッジ３１１での風速に分布が生まれ、渦の発生を抑制することができる。さらに、波状により、その風速の増減速ならびに方向変換が比べ滑らかであるため、ファンブレード３１０上での風の流れの急激な変化も抑えることができる。その結果、経年使用時、本実施形態は、比較例１に比べて、付着した埃を１０％低減することができた。したがって、本実施形態の貫流ファン１３０によれば、清潔性の向上にも寄与することができる。
【００３８】
特に、波状形状の山と谷は滑らかな曲線で構成されているため、上述した斜め方向の風は山と谷の頂点部分でも大きい曲率によって滑らかに変化するため、損失、負荷が低く、上述の入力低減、騒音低減、および清潔性向上に寄与する。
【００３９】
また、ファンブレード３１０のエッジ３１１の波形は、完全な周期によって構成してもよいが、変化がある周期では、完全な周期に生じ易い特異的な周波数騒音の増大等が避けられて好ましい。例えば、山側と谷側の比が１対１以上、例えば１対２程度にすることが望ましい。ファンブレード３１０のエッジ３１１の波形には、変化がある周期を含む場合も含まれるものとする。
【００４０】
ブレードピッチＰ（ｎ）は完全な周期ピッチ４０１上にあっても良いが、完全に調和するブレードピッチＰ（ｎ）は特異的な周波数が立つ傾向にあるため、ずらしたほうが好ましい。さらに、ずれが一定であると調和性が上がって騒音が大きくなるため、ランダムであることが好ましい。ブレードピッチＰ（ｎ）を周期関数とすることには、周期関数から多少のずれがある場合を含むものとする。
【００４１】
ブレードピッチＰ（ｎ）の周期が少ないほど、低周波数域での騒音は低減できるが、ＢＰＦでの騒音が立つ傾向にある。一方、ファンブレード３１０のエッジ３１１の波形の周期が少ないほど、それぞれの山３１２から谷３１３に向かって流れる風の量を増え、ＢＰＦでの騒音の低減効果が大きいが、山３１２と谷３１３の数が減る分、低周波数域での騒音の原因である渦を抑制する効果が低下する。
【００４２】
すなわち、低周波数域での騒音とＢＰＦでの騒音を考慮し、ブレードピッチＰ（ｎ）の周期に基づいて、ファンブレード３１０のエッジ３１１の波形の周期を決めることが望ましい。本実施形態では、ブレードピッチＰ（ｎ）を図５に示すように２周期とし、ファンブレード３１０のエッジ３１１を図４のように３周期としている。ファンブレード３１０のエッジ３１１の波形の周期は、ブレードピッチＰ（ｎ）の周期に対して、２周期分程度の範囲内での増減が好ましい。言い換えると、ファンブレード３１０のエッジ３１１の波形における山又は谷の数は、ブレードピッチＰ（ｎ）の周期に対して、±２の範囲内であることが望ましい。
【００４３】
また、山３１２と谷３１３の距離を一定とした実施形態を示しているが、その限りではなく、ブレードピッチＰ（ｎ）における変化と同等な構成にするのも良い。周期の変化の大小の範囲は２倍以内とすれば、ブレードピッチＰ（ｎ）のときと同様な効果が得られる。すなわち、ブレードピッチＰ（ｎ）の周期が多ければ、風がエッジ形状の変化あるいはピッチの変化に追随できない。また、ブレードピッチＰ（ｎ）の周期が少なければ、エッジ３１１は直線に近づき圧力変動あるいは速度変動が増大して、入力、騒音、塵埃付着が悪化する。
【００４４】
ブレードピッチＰ（ｎ）の変化が１周期未満の場合、Ｎ番目から１番目のファンブレードに戻るときに急激にブレードピッチＰ（ｎ）が変化し、風が乱れる原因となる。また、ブレードピッチＰ（ｎ）の変化が６周期以上の場合、隣接するブレードピッチＰ（ｎ）の変化が急になり、風が乱れる原因となる。よって、ブレードピッチＰ（ｎ）の変化は、１周期以上、且つ、５周期以下（６周期より小さい周期）にすることが望ましい。
【００４５】
さらに、本実施形態では、図５に示すように、ブレードピッチＰ（ｎ）の変化は２周期分のサインカーブとなるようファンブレードを配置している。ブレードピッチＰ（ｎ）の変化が２周期の場合、図３における主流ｆ１０において、主流ｆ１０の吸込側に位置するファンブレード３１０と、吹出側に位置するファンブレード３１０のピッチを近づけることができる。
【００４６】
例えば、ブレードピッチＰ（ｎ）の変化が２周期の場合、吸込側における隣接するファンブレード３１０の最外径点３３２間のブレードピッチＰ（ｎ）が狭いとき、１８０度ずれた位置である吹出側のブレードピッチＰ（ｎ）も狭い。また、吸込側のブレードピッチＰ（ｎ）が広いとき、１８０度ずれた位置である吹出側のブレードピッチＰ（ｎ）も広い。つまり、貫流ファン１３０の吸込側と吸込側のブレードピッチＰ（ｎ）を近づけることができ、吸込側と吹出側の圧力変化を減らし、騒音や損失を減らすことができる。
【００４７】
また、３周期の場合、貫流ファン１３０の流れ場が吸込、吐出しに加え循環渦の３領域分割にされることに対応するため、入力低減に寄与する。
【００４８】
図５に示すブレードピッチＰ（ｎ）の振幅ａと振幅ｂは異なることが好ましい。好ましいのは、振幅ａと振幅ｂの差は、０以上で、平均ピッチ３６０／Ｎの１／１０以下である。
【００４９】
ブレードピッチＰ（ｎ）は周期的であるが、図５に示すように、平均角度２π／Ｎとしたときの完全な周期配置の目安である４０１から所定角度ｄＰ（ｎ）だけずらしてもよい。所定角度ｄＰ（ｎ）ずらしたとしても、ブレードピッチＰ（ｎ）の変化は滑らかであり、同様に貫流ファン１３０の効率を向上させることができる。つまり、ブレードピッチＰ（ｎ）をサインカーブ又はコサインカーブのように完全な周期関数となるようにファンブレード３１０を配置する場合だけに限られない。ｎ番目の羽根のズレを所定角度ｄＰ（ｎ）とすると、所定角度ｄＰ（ｎ）は、０以上、平均ブレードピッチ３６０／Ｎの１／２０以下とすることが望ましい。ただし、隣接するブレードピッチＰ（ｎ）の変化は平滑でなければ、効果はない。平滑の範囲としては、隣接するブレードピッチＰ（ｎ）の差が、平均ブレードピッチである３６０／Ｎに対して、１／２０以上１／３以下となることが望ましい。
【００５０】
図５に示すように、山を結んだ直線３１３と谷を結んだ直線３１４の差ｄＬが一定の実施形態を示しているが、その限りではなく、ｄＬが山と谷を繰り返す際に漸次に大小の変化をしても良い。大小の変化の範囲は２倍以内とする。その際の効果は、ブレードピッチＰ（ｎ）における周期の変化と同様、完全周期性による騒音増大を避けることができ、騒音低減に寄与する。
【００５１】
（第２実施形態）
本実施形態において第１実施形態と同様の構成要素についての説明は省略する。図１２は、第２実施形態に係るスタビライザに接近する際のファンブレード上の風速の流れを説明する説明図である。第１実施形態では、ファンブレード３１０のエッジ３１１を波形にする場合について説明したが、本実施形態では、図１２に示すように、ファンブレード３１０のエッジ３１１の形状を複数の三角形の突起を有するのこぎり形（セレーション）にしている。
【００５２】
本実施形態においても、隙間が狭い空間を通過する風の逃げ道を作ることができ、スタビライザ２０１の下端付近で圧力を上昇させることができ、周波数がＢＰＦとなる騒音を低減することができる。
【００５３】
本実施形態は、斜め方向の速度分布の拡散によって、微視的に見たファンブレード３１０へのトルクも分散され、さらにその変動が滑らかに変化するため、ファンブレード３１０への負荷が低減し、貫流ファン１３０の動力低減にも寄与することができる。
【００５４】
（第３実施形態）
本実施形態において第１実施形態と同様の構成要素についての説明は省略する。図１３は、第３実施形態に係るスタビライザに接近する際のファンブレード上の風速の流れを説明する説明図である。第１実施形態では、ファンブレード３１０のエッジ３１１を波形にする場合について説明したが、本実施形態では、図１３に示すように、ファンブレード３１０のエッジ３１１の形状を複数の三角形の突起を有するのこぎり形（セレーション）にしている。
【００５５】
本実施形態においても、隙間が狭い空間を通過する風の逃げ道を作ることができ、スタビライザ２０１の下端付近で圧力を上昇させることができ、周波数がＢＰＦとなる騒音を低減することができる。
【００５６】
本実施形態は、斜め方向の速度分布の拡散によって、微視的に見たファンブレード３１０へのトルクも分散され、さらにその変動が滑らかに変化するため、ファンブレード３１０への負荷が低減し、貫流ファン１３０の動力低減にも寄与することができる。
【符号の説明】
【００５７】
１００…室内機、１２０…室内熱交換器、１２２…前面熱交換器、１３０…貫流ファン、１３１…フロントケーシング、２０１…スタビライザ、１３２…バックケーシング、２０２…リアガイダ、３１０…ファンブレード、３１１…エッジ、３１２…山、３１３…谷
【図１】
2015052279.tif 000003
【図２】
2015052279.tif 000004
【図３】
2015052279.tif 000005
【図４】
2015052279.tif 000006
【図５】
2015052279.tif 000007
【図６】
2015052279.tif 000008
【図７】
2015052279.tif 000009
【図８】
2015052279.tif 000010
【図９】
2015052279.tif 000011
【図１０】
2015052279.tif 000012
【図１１】
2015052279.tif 000013
【図１２】
2015052279.tif 000014
【図１３】
2015052279.tif 000015